(57)【要約】【課題】  従来布と布を重ねてとめる場合の装着具は、装着する側に何らかの処理を必要とするものであった。  【解決手段】  装着側に折り返しまたは、装着具先端を縫い目に差し込むことで、袖口飾りを衣類に簡易迅速に取り付ける事が出来ることを特徴とする。装着具は１本の柔軟性を有するステンレス、銅、リン青銅、鉄あるいはアルミ銅等の金属ワイヤーを１０より１０ｃまで半分に折り左右に分かれ１１aと１１b形成させ基部１０に続く挟み込み部１０と基部から左右に張り出した押さえ部分から形成され、差し込み部分１０は１０ａに示す様にその部分が凹凸に形成し、これにより装着した箇所に引っ掛かる事で滑りを防止している。【選択図】図１
2011000135.tif 000002
【特許請求の範囲】
【請求項１】
金属又は合成樹脂で一体的に形成された挟み込み構造を有し、
この挟み込み構造の一方は、布に縫い付けて固定するための基部を有し、
前記挟み込み構造の他方は、最大幅３ミリメートル以下の棒状部分を有する装着具。
【請求項２】
前記基部は右側部分と左側部分を有し、
前記右側部分と左側部分の間の空間に前記棒状部材が入り込むように構成されてなる
請求項１に記載の装着具。
【請求項３】
前記棒状部分の少なくとも一部には、布に対する滑り止め加工がほどこされてなる
請求項１に記載の装着具。
【請求項４】
前記棒状部分の先端が、挟み付ける方向の反対方向に曲がってなる
請求項１に記載の装着具。
【請求項５】
衣類の袖口に袖口飾りを装着する装着方法であって、
挟み込み機構を有する装着具の一方の領域を、袖口飾りに縫い付ける工程と、
前記挟み込み機構の他方の領域を衣類袖口の縫い目に挿入する工程と
を有する装着方法。
【発明の詳細な説明】
【技術分野】
【０００１】
本発明は装着具及び装着方法に関し、装着具を相手側に差込み挟み込むことで飾りなどが取り付けられる装着具である。
【背景技術】
【０００２】
特許文献１には、ゴムの伸縮力を用いて袖口飾りを装着する方法が開示されている。
またこの種の装着具は、装着者の手首に直接取り付けられるものであった。
【先行技術文献】
【特許文献】
【０００３】
【特許文献１】実開平７−３８１２８号
【発明の概要】
【発明が解決しようとする課題】
【０００４】
本発明の目的は、装着具を取り付けた飾りを従来ある着物や浴衣、洋服やズボンなどの折り返し部分の縫い目を利用し、装着具を差し込むことで簡単迅速に装着する事ができる装着具と装着方法を提供するものである。
【課題を解決するための手段】
【０００５】
本発明の請求項１に記載の装着具は、金属又は合成樹脂で一体的に形成された挟み込み構造を有し、布に縫い付けて固定するための基部を有する装着具である。さらに本発明の請求項２に記載の装着具は、前記基部は右側部分と左側部分を有し、右側部分と左側部分の間の空間に前記棒状部材が入り込むように構成されてなる。さらに本発明の請求項３に記載の装着具は、前記棒状部分の少なくとも一部には、布に対する滑り止め加工がほどこされてなる。さらに本発明の請求項１に記載の装着具は、前記棒状部分の先端が、挟み付ける方向の反対方向に曲がってなる。本発明の請求項５は衣類の袖口に袖口飾りを装着する装着方法であって、挟み込み機構を有する装着具の一方の領域を、袖口飾りに縫い付ける工程と、前記挟み込み機構の他方の領域を衣類袖口の縫い目に挿入する工程を有する装着方法である。
【発明の効果】
【０００６】
装着具を縫い付けてある袖口飾りを衣類等に簡易迅速に取り付けることが出来る
【図面の簡単な説明】
【０００７】
【図１】装着具の正面図
【図２】装着具の斜視図
【図３】装着具の真横図
【図４】装着具袖口飾りに縫い付けた状態を例示した図
【図５】袖口飾りを袖口に装着する直前の図
【図６】装着具を袖口飾りに取り付け装着した図。
【図７】袖口飾り装着時における装着具と縫い代との関係を説明する図
【図８】装着した裏図
【図９】装着した表図
【図１０】ボタン取り付け図
【図１１】ゼムクリップ
【図１２】変形させたゼムクリップ
【図１３】髪留めピン
【発明を実施するための形態】
【実施例】
【０００８】
以下、この考案の装着具を図面に示す実施例について説明する。      
【０００９】
まず、図1から図３に示す第一実施例について説明すると、装着具は１本の柔軟性を有すうるステンレス、銅、リン青銅、鉄あるいはアルミ銅等の金属ワイヤーを１０より１０ｃまで半分に折り左右に分かれ１１aと１１b形成させ基部１０に続く挟み込み部１０と基部から左右に張り出した押さえ部分から形成されている。差し込み部分１０は図３の１０ａに示す様にその部分が凹凸に形成しており、これにより装着した箇所に引っ掛かる事で滑りを防止している。はさみこむ１０aの部分は一般に使われている家庭用ミシンの標準設定での平均縫い目幅である３ミリメートル以下で仕上げる事で、縫い目図６の様に挿入が容易に出来る様になっている。なお棒状部分１０の強度や弾性力及び布表面に対する摩擦力を考えると棒状部分の幅は、１．０ミリメートルから２．０ミリメートルが好ましい。
また棒状部分１０の先端は、生地を傷つけないように滑らかな曲面を有する。
【００１０】
この様に形成された装着具においては、装着する布に装着具を図４の１４aと１４ｂを縫い糸で固定し装着する。図７の装着したい布の縫い目１７に基部先端１０を差し込み１０ｃに突き当て左右にある１１ａと１１ｂを１０の位置よりも下げることにより、１０と１１ａ１１ｂが交差し、１７と１７a部分に力が加わり布を鋏持出来る様になっている
【００１１】
この装着具の着脱動作においては、装着布したい側の布が直接当接し挟持する部分が、挟まっている状態で接触面積が小さく、それ故着脱時の摩擦力が小さく着脱操作は、容易に行える。
【００１２】
従来の技術で、２枚の布を装着する場合縫糸と縫い針を使っての縫合が用いられているが、取り外しが不便である。図１０の様にボタンを使っての装着の場合、一方に１のボタンホールなどの加工が必要である。図１３の髪留めピンは一枚の金属板をプレス加工等でできており反り返っている部分に挟み力を逆に加える事で止めることが出来、先端部分は鋭角になっているが幅が広く縫い目には入らず、反り返しが強く布がゆがんでしまう。本件と似たような作用機能を持つ物に図１１のゼムクリップが上げられるがゼムクリップは、一本の弾性を有するワイヤーを大きさが異なる2つの輪が銅一平面上に形成し布を2つの輪間に挟み込むことが出来るが縫い目の間には入らず装着は不可能である。図１２の様にゼムクリップの形を変形させ内側の輪の部分を縫い目に入るように先端部分を細く形成して装着したが、力が加わる箇所が1箇所で固定力が弱く外れてしまう。
【００１３】
上記実施例では金属ワイヤーを使う形態を説明したが、合成樹脂を使って装着具を形成しても良い、また先端の加工として凹凸であったり滑り止め材を塗布したりキャップをつけても良い。また形態は板状円状でも良い。
【符号の説明】
【００１４】
１０    棒状部分
１１a   装着具押さえ左部分
１１b   装着具押さえ右部分
１２    飾り布裏がわ
１３    飾り布下部
１４a   装着部縫合左部
１４ｂ  装着部縫合右部
１５    飾り先端
１６    折り返し部分
１７    縫い目
１８    衣類布先端
１９a   衣類裏側
１９ｂ  衣類表
【図１】
2011000135.tif 000003
【図２】
2011000135.tif 000004
【図３】
2011000135.tif 000005
【図４】
2011000135.tif 000006
【図５】
2011000135.tif 000007
【図６】
2011000135.tif 000008
【図７】
2011000135.tif 000009
【図８】
2011000135.tif 000010
【図９】
2011000135.tif 000011
【図１０】
2011000135.tif 000012
【図１１】
2011000135.tif 000013
【図１２】
2011000135.tif 000014
【図１３】
2011000135.tif 000015